(57)【要約】【課題】利用者を特定するための識別情報が記憶された記憶媒体（例えばＩＣカード）から識別情報を認証した後、通常の使用画面を表示する前に、有益な情報を表示する画像形成装置を提供することである。【解決手段】画像形成装置としての複合機１は、利用者を特定するための識別情報が記憶されたＩＣカード７と無線通信を行うカードリーダ６と、表示部と、１以上の広告情報を格納した記憶部８２と、装置の動作を制御する制御部８とを備え、ＩＣカード７の識別情報を認証した後、画像形成の指示待ちの画面を表示する前に、前記広告情報を表示する構成とする。【選択図】図２
2010028611.tif 000002
【特許請求の範囲】
【請求項１】
利用者を特定するための識別情報が記憶された記憶媒体と無線通信を行う無線通信部と、表示部と、１以上の広告情報を格納した記憶部と、装置の動作を制御する制御部とを備え、
前記記憶媒体の識別情報を認証した後、画像形成の指示待ちの画面を表示する前に、前記広告情報を表示することを特徴とする画像形成装置。
【請求項２】
前記記憶媒体に特定の企業情報が記憶されており、前記記憶部から該企業情報に対応した広告情報を読み出して表示することを特徴とする請求項１記載の画像形成装置。
【請求項３】
利用者を特定するための識別情報が記憶された記憶媒体と無線通信を行う無線通信部と、表示部と、インターネットに接続されるインターフェイス部と、装置の動作を制御する制御部とを備え、
前記記憶媒体の識別情報を認証した後、画像形成の指示待ちの画面を表示する前に、前記インターネットに接続して所定のページを表示することを特徴とする画像形成装置。
【請求項４】
前記所定のページのアドレスが格納された記憶部を備えることを特徴とする請求項３記載の画像形成装置。
【請求項５】
前記記憶媒体に前記所定のページのアドレスが記憶されていることを特徴とする請求項３記載の画像形成装置。
【請求項６】
利用者を特定するための識別情報が記憶された記憶媒体と無線通信を行う無線通信部と、表示部と、１以上の広告情報と所定のページのアドレスとを格納した記憶部と、インターネットに接続されるインターフェイス部と、装置の動作を制御する制御部とを備え、
前記記憶媒体の識別情報を認証した後、画像形成の指示待ちの画面を表示する前に、
前記記憶媒体に特定の企業情報が記憶されている場合は、前記記憶部から該企業情報に対応した広告情報を読み出して表示し、
前記記憶媒体に特定の企業情報が記憶されていない場合は、前記インターネットに接続して前記所定のページを表示することを特徴とする画像形成装置。
【請求項７】
利用者を特定するための識別情報が記憶された記憶媒体と無線通信を行う無線通信部と、表示部と、本画像形成装置の状態を格納した記憶部と、装置の動作を制御する制御部とを備え、
前記記憶媒体の識別情報を認証した後、画像形成の指示待ちの画面を表示する前に、前記本画像形成装置の状態を表示することを特徴とする画像形成装置。
【請求項８】
前記本画像形成装置の状態とは、ジャム率又は用紙残量であることを特徴とする請求項７記載の画像形成装置。
【請求項９】
利用者を特定するための識別情報が記憶された記憶媒体と無線通信を行う無線通信部と、表示部と、前記識別情報毎の利用記録を格納した記憶部と、装置の動作を制御する制御部とを備え、
前記記憶媒体の識別情報を認証した後、画像形成の指示待ちの画面を表示する前に、前記識別情報に対応した利用記録を表示することを特徴とする画像形成装置。
【請求項１０】
前記画像形成装置は、コピー機能、プリンタ機能、スキャン機能、ＦＡＸ機能のうちの複数の機能、又は全ての機能を備えた複合機であることを特徴とする請求項１〜９の何れかに記載の画像形成装置。
【請求項１１】
請求項１〜１０の何れかに記載の画像形成装置と、
利用者を特定するための識別情報が記憶された記憶媒体とを含む画像形成システム。
【発明の詳細な説明】
【技術分野】
【０００１】
本発明は、ＩＣカード等の記憶媒体を無線通信により読み取る無線通信部を備えたプリンタ、複写機、複合機等の画像形成装置及び画像形成システムに関する。
【背景技術】
【０００２】
近年、ＩＣカードが普及してきており、様々な装置にＩＣカード認証が採用されている。その１つに企業内で使用される複写機やプリンタや複合機などの画像形成装置がある。画像形成装置は各部署や各フロアで共有されることが多く、各人が自身のＩＣカードをかざすことにより使用可能となる。これにより、個人単位での画像形成装置の使用状況を管理することができる。
【０００３】
また、カードリーダを備えた複写機の例としては、特許文献１に、利用者が店舗カードに自己の識別情報を登録し、読込手段で自己の識別情報を読み込ませるだけで料金が電子決済されるコピーサービスの料金回収システムが開示されている。
【特許文献１】特開２００２−１９７３７２号公報
【発明の開示】
【発明が解決しようとする課題】
【０００４】
上記のＩＣカード認証の画像形成装置や特許文献１の複写機においては、カードは装置を使用可能にする認証のためだけに利用され、直ぐに画像形成装置や複写機の通常使用モードが立ち上がるようになっている。ユーザは画像形成装置や複写機を利用することを目的としているのでこれはこれでよいのだが、例えば、装置が省電力状態（スリープ状態）であった場合、カードをかざしてから復帰するまでに数十秒を要し、その間、ユーザはただ待つしかない。
【０００５】
また、ＩＣカードには様々な情報を格納することができるにも関わらず、その特徴を有効に利用していないとも言える。
【０００６】
本発明は、利用者を特定するための識別情報が記憶された記憶媒体（例えばＩＣカード）から識別情報を認証した後、通常の使用画面を表示する前に、有益な情報を表示する画像形成装置を提供することを目的とする。また、その画像形成装置を含んだ画像形成システムを提供することも目的とする。
【課題を解決するための手段】
【０００７】
上記目的を達成するために本発明は、利用者を特定するための識別情報が記憶された記憶媒体と無線通信を行う無線通信部と、表示部と、１以上の広告情報を格納した記憶部と、装置の動作を制御する制御部とを備え、前記記憶媒体の識別情報を認証した後、画像形成の指示待ちの画面を表示する前に、前記広告情報を表示することを特徴とする。
【０００８】
この構成によれば、省電力状態からの復帰時など、画像形成が可能となるまでに時間が掛かる場合でも、広告情報という有益な情報を表示することができる。
【０００９】
上記の画像形成装置において、前記記憶媒体に特定の企業情報が記憶されており、前記記憶部から該企業情報に対応した広告情報を読み出して表示するようにしてもよい。これにより、利用者が所望の企業情報を記憶させておけば、所望の広告情報を表示させることができる。
【００１０】
また本発明は、利用者を特定するための識別情報が記憶された記憶媒体と無線通信を行う無線通信部と、表示部と、インターネットに接続されるインターフェイス部と、装置の動作を制御する制御部とを備え、前記記憶媒体の識別情報を認証した後、画像形成の指示待ちの画面を表示する前に、前記インターネットに接続して所定のページを表示することを特徴とする。
【００１１】
この構成によれば、省電力状態からの復帰時など、画像形成が可能となるまでに時間が掛かる場合でも、インターネットの所定のページという有益な情報を表示することができる。
【００１２】
上記の画像形成装置において、前記所定のページのアドレスが格納された記憶部を備えることにより、画像形成装置の設置者が所定のページのアドレスを設定できる。
【００１３】
また上記の画像形成装置において、前記記憶媒体に前記所定のページのアドレスが記憶されていることにより、記憶媒体の所有者又は記憶媒体の配布者が所定のページのアドレスを設定できる。
【００１４】
また本発明は、利用者を特定するための識別情報が記憶された記憶媒体と無線通信を行う無線通信部と、表示部と、１以上の広告情報と所定のページのアドレスとを格納した記憶部と、インターネットに接続されるインターフェイス部と、装置の動作を制御する制御部とを備え、前記記憶媒体の識別情報を認証した後、画像形成の指示待ちの画面を表示する前に、前記記憶媒体に特定の企業情報が記憶されている場合は、前記記憶部から該企業情報に対応した広告情報を読み出して表示し、前記記憶媒体に特定の企業情報が記憶されていない場合は、前記インターネットに接続して前記所定のページを表示することを特徴とする。
【００１５】
この構成によれば、省電力状態からの復帰時など、画像形成が可能となるまでに時間が掛かる場合でも、広告情報又はインターネットの所定のページという有益な情報を表示することができる。
【００１６】
また本発明は、利用者を特定するための識別情報が記憶された記憶媒体と無線通信を行う無線通信部と、表示部と、本画像形成装置の状態を格納した記憶部と、装置の動作を制御する制御部とを備え、前記記憶媒体の識別情報を認証した後、画像形成の指示待ちの画面を表示する前に、前記本画像形成装置の状態を表示することを特徴とする。例えば、前記本画像形成装置の状態とは、ジャム率又は用紙残量である。
【００１７】
この構成によれば、省電力状態からの復帰時など、画像形成が可能となるまでに時間が掛かる場合でも、ジャム率又は用紙残量など画像形成装置の状態という有益な情報を表示することができる。
【００１８】
また本発明は、利用者を特定するための識別情報が記憶された記憶媒体と無線通信を行う無線通信部と、表示部と、前記識別情報毎の利用記録を格納した記憶部と、装置の動作を制御する制御部とを備え、前記記憶媒体の識別情報を認証した後、画像形成の指示待ちの画面を表示する前に、前記識別情報に対応した利用記録を表示することを特徴とする。
【００１９】
この構成によれば、省電力状態からの復帰時など、画像形成が可能となるまでに時間が掛かる場合でも、識別情報毎の利用記録という有益な情報を表示することができる。
【００２０】
本発明の上記画像形成装置は、コピー機能、プリンタ機能、スキャン機能、ＦＡＸ機能のうちの複数の機能、又は全ての機能を備えた複合機に適用することができる。
【００２１】
また本発明は、上記の何れかに記載の画像形成装置と、利用者を特定するための識別情報が記憶された記憶媒体とを含む画像形成システムとする。
【発明の効果】
【００２２】
本発明によると、利用者は画像形成装置を使用する前に、広告情報やインターネットの所定のページや画像形成装置の状態や利用記録を見ることになり、特に、省電力状態からの復帰待ちの時間を有効に利用することができる。これにより、利用者は画像形成装置の使用という本来の目的に加えて、有益な情報も得ることができる。
【発明を実施するための最良の形態】
【００２３】
以下、本発明の実施形態について図１〜１１を参照しつつ説明する。ここで、本発明は、各種画像形成装置に適用可能であるが、以下ではＩＣカード７（記憶媒体に相当）により利用者を特定し、利用資格を有するかの認証を行うためのカードリーダ６（無線通信部に相当）を備えた複合機１（画像形成装置に相当）を例に挙げて説明する。但し、本実施形態に記載されている構成、配置等の各要素は、発明の範囲を限定するものではなく単なる説明例にすぎない。
【００２４】
（画像形成装置の概略）
まず、図１に基づき、本発明の実施形態に係る複合機１の概略について説明する。図１は、本発明の実施形態に係る複合機１の模型的正面断面図である。
【００２５】
図１に示すように、本実施形態の複合機１は、最上部に原稿搬送装置３ａを有し、複合機１本体には、操作パネル２、原稿読取部３ｂ、用紙供給部４ａ、用紙搬送路４ｂ、画像形成部５ａ、定着部５ｂ、カードリーダ６（無線通信部に相当）等が設けられる。
【００２６】
前記原稿搬送装置３ａは、原稿の複写時、複数の原稿搬送ローラ対３１の回転駆動により、原稿載置トレイ３２に積載された原稿を１枚ずつ、自動的、連続的に、原稿読取部３ｂの読み取り位置に向けて搬送する。前記原稿読取部３ｂは、原稿を読み取り、原稿の画像データを形成する。原稿読取部３ｂの上面には、コンタクトガラス３３が設けられ、又、原稿読取部３ｂ内には露光ランプ、ミラー、レンズ、イメージセンサ（例えば、ＣＣＤ）等の光学系部材（不図示）が設けられる。
【００２７】
そして、この光学系部材を用い、原稿搬送装置３ａが搬送する原稿や、コンタクトガラス３３に載置される原稿に光を照射し、その原稿の反射光を受けたイメージセンサの各画素の出力値をＡ／Ｄ変換し、画像データを生成し、複合機１は、読み取りにより得られた画像データに基づき印刷を行うことができる（コピー機能）。尚、原稿搬送装置３ａは、図１の紙面奥側に支点が設けられ持ち上げ可能であり、コンタクトガラス３３に原稿を載置した後、原稿搬送装置３ａで原稿を押さえる。
【００２８】
前記用紙供給部４ａは、複数の用紙（例えば、コピー用紙、普通紙、再生紙、厚紙、ＯＨＰシート等の各種シート）を収容し、１枚ずつ用紙搬送路４ｂに送り込む。用紙供給部４ａは、収納用紙が載置されるカセット４１、カセット４１から用紙搬送路４ｂに送り出すため回転駆動する給紙ローラ４２等を備える。例えば、印刷時には、給紙ローラ４２が回転駆動し、画像形成に必要となる用紙が１枚ずつ用紙搬送路４ｂに送り出される。
【００２９】
前記用紙搬送路４ｂは、用紙供給部４ａから排出トレイ４３まで用紙を搬送する。尚、用紙搬送経路上には画像形成部５ａ、定着部５ｂ等が配される。そして、用紙搬送路４ｂには、用紙の案内のためのガイド４４や、用紙搬送の際に回転駆動する搬送ローラ対４５や、搬送されてくる用紙を画像形成部５ａの手前で待機させ、トナー像形成のタイミングを合わせて用紙を送り出すレジストローラ対４６等が設けられる。
【００３０】
前記画像形成部５ａは、画像データに基づきトナー像を形成し、搬送される用紙にトナー像を転写する。そのため、画像形成部５ａは、図１中に示す矢印方向に回転駆動可能に支持された感光体ドラム５１、及び、感光体ドラム５１の周囲に配設された帯電装置５２、レーザ走査ユニット５３、現像装置５４、転写ローラ５５、清掃装置５６等を備える。
【００３１】
トナー像形成及び転写プロセスを説明すると、画像形成部５ａの略中心に設けられ、所定方向に回転駆動する感光体ドラム５１は、図１において、感光体ドラム５１の右斜め上方に設けられる帯電装置５２によって所定電位に帯電させられる。レーザ走査ユニット５３は、図１において、帯電装置５２の右側方に設けられ、画像データに基づき、レーザ光Ｌをから出力し、感光体ドラム５１表面を走査露光して画像データに応じた静電潜像を形成する。尚、画像データは、原稿読取部３ｂで得られた画像データや、ネットワーク等により接続されるユーザ端末１００や相手方ＦＡＸ装置２００（図２参照）から送信された画像データ等が用いられる。そして、図１において、感光体ドラム５１の右斜め下方に設けられる現像装置５４は、感光体ドラム５１に形成された静電潜像にトナーを供給して現像する。感光体ドラム５１の左方に設けられる転写ローラ５５は感光体ドラム５１に圧接し、ニップが形成される。そして、トナー像にあわせタイミングを図られつつ、用紙はニップに進入する。用紙進入時、転写ローラ５５には所定の電圧が印加され、用紙に感光体ドラム５１上のトナー像が転写される。清掃装置５６は、転写後に感光体ドラム５１に残留するトナーを除去する。
【００３２】
前記定着部５ｂは、用紙に転写されたトナー像を定着させる。本実施形態における定着部５ｂは、主として発熱体を内蔵する加熱ローラ５７と加圧ローラ５８で構成される。加熱ローラ５７と加圧ローラ５８は圧接しニップを形成する。そして、用紙が、このニップを通過することで、用紙表面のトナーが溶融・加熱され、トナー像が用紙に定着する。トナー定着後の用紙は、排出トレイ４３が受け止める。このようにして、コピー機能、プリンタ機能の利用時、画像形成（印刷）が行われる。
【００３３】
そして、詳細は後述するが、本実施形態における複合機１の右側面上方に、利用者を特定するための識別情報を記憶するＩＣカード７（記憶媒体に相当）と電波（電磁波）により無線通信を行って、ＩＣカード７に記憶されるデータの送受信を行うカードリーダ６が設けられる。このＩＣカード７には、カードを所有する利用者を識別、特定するためのデータである識別情報が記憶されるが、この識別情報は、例えば、社員ＩＤや所属部署等、個人を特定するためのデータとすることができる。またＩＣカード７には、必要に応じて、特定の企業情報（企業名）や所定のページのアドレス（例えば、天気予報やニュースのページのアドレス）も記憶される。
【００３４】
尚、本発明を実施するためには、利用者が特定されればよいが、本実施形態の複合機１では、利用者特定のほか、カードリーダ６により取得された識別情報を用いて、そのＩＣカード７の所有者が複合機１の利用資格を有するかの認証が行われる。これにより、複合機１の利用管理が行われる。
【００３５】
次に、図２に基づき、本発明の実施形態に係る複合機１のハードウェア構成について説明する。図２は、本発明の実施形態に係る複合機１の構成の一例を示すブロック図である。
【００３６】
複合機１内には、制御部８が設けられ、制御部８は、複合機１の動作を制御し、例えば、ＣＰＵ８１、記憶部８２、画像処理部８３等から構成される。
【００３７】
ＣＰＵ８１は、中央演算処理装置であって、記憶部８２に格納され、展開される制御プログラムに基づき複合機１の各部を制御する。尚、ＣＰＵ８１以外に、操作パネル２の表示制御用のＣＰＵが操作パネル２等に設けられても良い。画像処理部８３は、印刷を行う画像データや、ユーザ端末１００や相手方のＦＡＸ装置２００に送信される画像データに対し、各種画像処理を施す。
【００３８】
記憶部８２は、ＲＯＭ、ＲＡＭ、ＨＤＤ等の不揮発性と揮発性の記憶装置を組み合わせて構成される。この記憶部８２には、複合機１の制御用プログラム、制御用データ、設定データ、画像データ等の各種データを記憶できる。又、特定の企業情報（企業名）に対応した広告情報や、インターネットの所定のページのアドレスや、画像形成装置の状態であるジャム率及び用紙残量や、識別情報毎の利用記録（例えば用紙使用枚数）なども必要に応じて記憶できる。
【００３９】
そして、制御部８は、操作パネル２、原稿搬送装置３ａ、原稿読取部３ｂ、用紙供給部４ａ、用紙搬送路４ｂ、画像形成部５ａ、定着部５ｂ等の各部と信号線等で接続され、複合機１の動作を制御する。又、制御部８には、認証部９が接続される。認証部９はハードウェアとして、又は、制御部８のＣＰＵ８１、記憶部８２、プログラム等で、ソフトウェア的に実現可能である。
【００４０】
又、認証部９は、カードリーダ６と接続される。そして、認証部９は、カードリーダ６が取得したＩＣカード７の記憶する識別情報と、認証部９が保有し利用可能か否か（利用資格を有するか）の認証を行うためのデータ（以下、「認証用データ」という。）と、を比較し、利用可否の認証を行う。例えば、認証部９は、利用資格を有する利用者が所持するＩＣカード７の記憶する識別情報を、認証用データとして全ＩＣカード７について記憶しておく。そして、認証作業では、例えば、認証用データ内に、ＩＣカード７から得られた識別情報と一致するものがあるかを確認する。即ち、認証部９は、ＩＣカード７内の識別情報に基づき、複合機１を利用する資格を有し利用させてよいかの認証を行う。
【００４１】
ここで、本実施形態の複合機１の制御部８は、基本的に、複合機１を利用不可状態とする。例えば、利用不可状態では、操作パネル２にコピーやＦＡＸ送信を行う旨の操作・入力が行われても、制御部８は、その動作指示入力を無視する。又、ユーザ端末１００から画像データの送信があっても、印刷を行わず、制御部８は、画像データの送信を受け付け記憶部８２等に一時的に保存しても印刷は行わない。これにより、複合機１は利用者を制限し、利用者の特定も行い、複合機１の利用状況の管理を行うことができる。
【００４２】
一方、利用可能である場合の認証結果は、制御部８に送られ、この認証結果を受けて、制御部８は、複合機１を利用可能な状態とする。言い換えると、認証部９からカードの所有者が複合機１を利用できる資格を有するとの認証結果が送られた場合（利用可能な者のＩＣカード７と認められた場合）、複合機１は利用可能となる。そして、この時、その印刷枚数や使用日時等の利用記録を得て、認証部９から利用者を特定するための情報（例えば、識別情報）もあわせて送信される。そして、制御部８は、記憶部８２等に、利用記録を保存する。
【００４３】
更に、制御部８は、各種コネクタ、ソケット等を備えたＩ／Ｆ部８４（インターフェイス部）と接続される。Ｉ／Ｆ部８４は、ネットワークや公衆回線等により複数のユーザ端末１００や相手方のＦＡＸ装置２００やインターネット４００と接続され、例えば、画像データをユーザ端末１００や相手方ＦＡＸ装置２００（インターネットＦＡＸでもよい）に送信することができる（スキャナ機能、ＦＡＸ機能）。又、ユーザ端末１００や相手方ＦＡＸ装置２００からの画像データに基づき印刷を行うこともできる（プリンタ機能、ＦＡＸ機能）。即ち、複合機１は、コピー機能、プリンタ機能、スキャン機能、ＦＡＸ機能のうちの複数の機能を備える。又、Ｉ／Ｆ部８４を利用し、ネットワーク内のサーバ３００と複合機１を接続でき、例えば、サーバ３００に各利用者のデータを記憶させておくこともできる。又、Ｉ／Ｆ部８４を利用してインターネット４００に接続し、所望のアドレスのページを取得することもできる。
【００４４】
（カードリーダ６、ＩＣカード７、認証部９の構成）
次に、図３に基づき、本発明の実施形態に係るカードリーダ６、ＩＣカード７及び認証部９について詳細に説明する。図３は、本発明の実施形態に係る認証部９、カードリーダ６、ＩＣカード７の構成、接続の一例を示すブロック図である。
【００４５】
図３に示すように、本実施形態の複合機１では、制御部８とカードリーダ６の間に直列に認証部９が設けられる。これにより、ＩＣカード７による認証システムが構築されている。以下、各構成について説明する。
【００４６】
まず、複合機１には、カードリーダ６が設けられ、このカードリーダ６は上述したように、ＩＣカード７と電磁波（電波）により無線通信を行う。そして、カードリーダ６は、ＣＰＵ６１、メモリ６２、アンテナ６３、変調回路部６４、復調部６５等を有している。
【００４７】
ＣＰＵ６１は、メモリ６２に記憶される制御用プログラムや制御用データを利用して、カードリーダ６の動作、通信の制御、各種演算を行う。アンテナ６３は、ＩＣカード７との無線通信のため、電波（電磁波）の放出やＩＣカード７からの電波（反射波等）を受信する。変調回路部６４は、搬送波を送り出し、搬送波に信号波をのせる変調を行う。この変調回路部６４は、振幅変調、周波数変調、位相変調等、カードリーダ６とＩＣカード７間の通信に採用される変復調方式に応じたものとなる。復調部６５は、ＩＣカード７からの信号波の復調を行い、ＩＣカード７から送られた識別情報等のデータ信号を取り出す。
【００４８】
次に、利用者を特定するための識別情報を記憶するＩＣカード７について説明する。ＩＣカード７は、制御演算回路、変復調回路、メモリ等を内蔵するＩＣチップ７１と、アンテナ７２と電源部７３を内蔵する。そして、ＩＣチップ７１は、少なくとも識別情報を記憶し、ＩＣカード７は、無線通信によりカードリーダ６から指示を受け、ＩＣチップ７１内の識別情報をカードリーダ６に送信する。そして、ＩＣカード７は、カードリーダ６から放出された搬送波を受け、これを電源部７３にて整流し、電源として利用してＩＣチップ７１を駆動させ、そしてアンテナ７２から保持するデータを反射波に乗せてカードリーダ６に送信する、いわゆるパッシブ型のものを採用することができる。
【００４９】
又、ＩＣカード７は、カードリーダ６からのデータ受信や指示を受け、ＩＣチップ７１内のメモリのデータの書込・更新を行うこともできる。この場合、カードリーダ６は、カードライタとして機能する。更に、ＩＣカード７には、必要に応じて、特定の企業情報（企業名）や所定のページのアドレス（例えば、天気予報やニュースのページのアドレス）も記憶される。言い換えると、特定の企業情報や所定のページのアドレスをＩＣカード７に送信して、ＩＣカード７は、それらをＩＣチップ７１内のメモリに記憶することができる。
【００５０】
そして、カードリーダ６と制御部８と接続される認証部９は、ＣＰＵ９１や、メモリ９２、接続回路９３を備え、カードリーダ６や制御部８とデータの送受信が可能である。又、ＣＰＵ９１は、認証部９の動作を制御する。メモリ９２は、認証部９の動作制御用プログラム、認証用データ等を記憶する。そして、ＣＰＵ９１は、カードリーダ６で読み取られ、認証部９に送信されたＩＣカード７の識別情報と、メモリ９２が格納する認証用データを比較し、認証用データ中に一致するデータがあるかを確認する。そして、一致した場合は、複合機１の利用を許可すべき旨の信号と、例えば、一致した識別情報等の利用者を特定する情報を制御部８に向けて送信する。
【００５１】
図４は、本発明の実施形態に係る複合機１の操作パネル２の一例である。図４に示すように、複合機１の正面上方に設けられる操作パネル２は、テンキー部２１やスタートキー２２等の入力用の各種キーを備える。又、操作パネル２は、装置の動作状態や各種情報を表示し、又、タッチパネルによりモード選択等を行うことができる液晶表示部２３を備える。
【００５２】
そして、操作パネル２を操作し、複合機１の利用可能者の新たな登録や変更を行うことができる。この場合、例えば、操作パネル２から複合機１を利用させる個人を特定する各種データ（例えば、個人名、所属部署、ユーザ端末１００のアドレス等）を入力する。そして、各種データから識別情報を生成し、生成された識別情報を記憶部８２や認証部９のメモリ９２に認証用データとして追加し、又、カードリーダ６をカードライタとして利用し、ＩＣカード７に識別情報の記憶・更新を行わせる。即ち、ＩＣカード７の新たな登録を行うことができる。又、会社の社員証や身分証明書用に、既にＩＣカード７が用いられている場合、カードリーダ６に社員証や身分証明書を読み取らせ、読み取った情報を認証用データとして、記憶部８２や認証部９のメモリ９２に記憶してもよい。これにより、新たなＩＣカード７を用意することなく、複合機１の利用を管理することができる。
【００５３】
次に、カードリーダ６にＩＣカード７がかざされたときに、有益な情報を表示する動作について説明する。図５は、ＩＣカード７がかざされたときの複合機１の第１例の動作を示すフローチャートである。
【００５４】
まず、図５のスタートでは、複合機１は、利用者がおらず、利用不可の待機状態である。このとき、ステップＳ１０においてカードリーダ６は、ＩＣカード７がかざされたことを検出するため、電磁波（電波）を一定周期で発信している。そしてステップＳ１１でＩＣカード７がかざされたかを確認する。複合機１は、ＩＣカード７がカードリーダ６にかざされるまで、利用不可状態を維持する（ステップＳ１１のＮ）。
【００５５】
そして、ステップＳ１１でＩＣカード７がカードリーダ６にかざされた場合、ステップＳ１２へ進んでカードリーダ６は、ＩＣカード７から識別情報を読み取り、ステップＳ１３へ進んでその識別情報に基づき認証部９が、そのＩＣカード７の所有者に複合機１を利用させて良いか認証を行う。もし、認証部９が有する認証用データ内に、取得された識別情報と一致するデータがなければ、ステップＳ１４へ進んで制御部８は、複合機１の利用不可状態を維持し、ステップＳ１０に戻る。
【００５６】
一方、ステップＳ１３において認証部９が複合機１を利用させても良いと認証した場合、その結果と利用者を特定するデータが制御部８に送信される。そしてステップＳ１５へ進んで制御部８は、記憶部８２から広告情報を読み出す。ここで、複数の広告情報が存在する場合は、何れかをランダムに読み出せばよい。
【００５７】
そして、ステップＳ１６へ進んで、液晶表示部２３にその広告情報を表示する。続いて、ステップＳ１７へ進んで複合機１が省電力状態であるか否かを判別する。ステップＳ１７において、定着部５ｂの温度低下などの省電力状態である場合は、ステップＳ１８へ進んで省電力状態を解除する。そしてステップＳ１９へ進んで画像形成が可能となるように復帰したか否かを判別する。ステップＳ１９で復帰が確認されると、ステップＳ２０へ進んで広告情報の表示を「コピーできます」などの通常の使用画面（画像形成の指示待ちの画面）に切り替える。
【００５８】
一方、ステップＳ１７において、省電力状態でない場合、つまり、直ぐに画像形成可能な状態である場合は、ステップＳ２１へ進んで所定時間経過するまで待つ。この間、広告情報の表示が維持される。そして、ステップＳ２１において所定時間経過すると、ステップＳ２０へ進んで広告情報の表示を通常の使用画面に切り替える。なお、ステップＳ２１は操作パネル２の操作があればステップＳ２０へ進むようにしてもよい。また、ステップＳ２１は省略してもよい。
【００５９】
このように、複合機１が広告情報を格納しており、ＩＣカード７の識別情報を認証した後、画像形成の指示待ちの画面を表示する前に、広告情報を表示することにより、利用者は複合機１を使用する前に広告情報を見ることになる。特に、省電力状態からの復帰待ちの時間を有効に利用することができる。これにより、利用者は複合機１の使用という本来の目的に加えて、有益な情報も得ることができる。一方、利用者に対する宣伝効果が期待できるため、広告主から広告料を得ることも可能となる。なお、広告情報は、サービスマンが更新するようにすればよい。
【００６０】
図６は、ＩＣカード７がかざされたときの複合機１の第２例の動作を示すフローチャートである。図５と同様のステップについては同符号を付し、その詳細な説明を省略する。
【００６１】
ＩＣカード７が認証されると、ステップＳ１３からステップＳ３０へ進んで、認証部９はＩＣカード７に特定の企業情報（企業名）が記憶されているか否かを判別する。ステップＳ３０において企業情報があった場合、その企業情報が制御部８に送信される。そして、ステップＳ３１へ進んで制御部８は、記憶部８２からその企業情報に対応した広告情報を読み出し、ステップＳ３２へ進んで、液晶表示部２３にその広告情報を表示する。
【００６２】
一方、ステップＳ３０において企業情報がない場合、ステップＳ１５へ進んでランダムに広告情報を読み出し、ステップＳ１６へ進んで液晶表示部２３にその広告情報を表示する。
【００６３】
そして、ステップＳ３２又はステップＳ１６からステップＳ１７へ進み、ステップＳ１８〜Ｓ２１の処理を行う。
【００６４】
このように、複合機１がＩＣカード７が有する特定の企業情報に対応した広告情報を格納している場合、ＩＣカード７の識別情報を認証した後、画像形成の指示待ちの画面を表示する前に、その対応した広告情報を表示することにより、利用者は複合機１を使用する前に広告情報を見ることになる。ＩＣカードが有する企業情報が利用者が所望して記憶させたものであれば、利用者は複合機１の使用という本来の目的に加えて、所望の有益な情報を得ることができる。また、省電力状態からの復帰待ちの時間を有効に利用することもできる。また、利用者に対する宣伝効果が期待できるため、広告主から広告料を得ることも可能となる。
【００６５】
図７は、ＩＣカード７がかざされたときの複合機１の第３例の動作を示すフローチャートである。図５と同様のステップについては同符号を付し、その詳細な説明を省略する。
【００６６】
ＩＣカード７が認証されると、ステップＳ１３からステップＳ４０へ進んで、制御部８は、記憶部８２から所定のページのアドレスを読み出す。ここで、複数のアドレスが存在する場合は、何れかをランダムに読み出せばよい。なお、アドレスは複合機１の設置者が所望するアドレスを予め記憶させておけばよく、例えば、天気予報やニュースのページのアドレスとすることができる。
【００６７】
そして、ステップＳ４１へ進んで、インターネット４００に接続し、読み出したアドレスに接続し、ステップＳ４２へ進んで液晶表示部２３にそのページを表示する。続いて、ステップＳ１７へ進み、ステップＳ１８〜Ｓ２１の処理を行う。
【００６８】
このように、複合機１が所定のページのアドレスを格納しており、ＩＣカード７の識別情報を認証した後、画像形成の指示待ちの画面を表示する前に、インターネットに接続して所定のページを表示することにより、利用者は複合機１を使用する前に所定のページを見ることになる。特に、省電力状態からの復帰待ちの時間を有効に利用することができる。これにより、利用者は複合機１の使用という本来の目的に加えて、有益な情報も得ることができる。
【００６９】
図８は、ＩＣカード７がかざされたときの複合機１の第４例の動作を示すフローチャートである。図５、７と同様のステップについては同符号を付し、その詳細な説明を省略する。
【００７０】
ＩＣカード７が認証されると、ステップＳ１３からステップＳ５０へ進んで、認証部９はＩＣカード７に所定のページのアドレスが記憶されているか否かを判別する。ステップＳ５０において所定のページのアドレスがあった場合、そのアドレスが制御部８に送信される。ここで、複数のアドレスが存在する場合は、何れかをランダムに送信すればよい。なお、アドレスはＩＣカード７の所有者又は配布者が所望するアドレスを予め記憶させておけばよく、例えば、天気予報やニュースのページのアドレスとすることができる。そして、ステップＳ４１へ進んで制御部８は、インターネット４００に接続し、読み出したアドレスに接続し、ステップＳ４２へ進んで液晶表示部２３にそのページを表示する。
【００７１】
一方、ステップＳ５０において所定のページのアドレスがない場合、ステップＳ４０へ進んで、制御部８は、記憶部８２から所定のページのアドレスを読み出す。ここで、複数のアドレスが存在する場合は、何れかをランダムに読み出せばよい。なお、アドレスは複合機１の設置者が所望するアドレスを予め記憶させておけばよく、例えば、天気予報やニュースのページのアドレスとすることができる。
【００７２】
そして、ステップＳ４１へ進んで、インターネット４００に接続し、読み出したアドレスに接続し、ステップＳ４２へ進んで液晶表示部２３にそのページを表示する。続いて、ステップＳ１７へ進み、ステップＳ１８〜Ｓ２１の処理を行う。
【００７３】
このように、ＩＣカード７が所定のページのアドレスを格納している場合、ＩＣカード７の識別情報を認証した後、画像形成の指示待ちの画面を表示する前に、インターネットに接続してそのアドレスのページを表示することにより、利用者は複合機１を使用する前に所定のページを見ることになる。特に、省電力状態からの復帰待ちの時間を有効に利用することができる。これにより、利用者は複合機１の使用という本来の目的に加えて、有益な情報も得ることができる。
【００７４】
図９は、ＩＣカード７がかざされたときの複合機１の第５例の動作を示すフローチャートである。図５〜７と同様のステップについては同符号を付し、その詳細な説明を省略する。
【００７５】
ＩＣカード７が認証されると、ステップＳ１３からステップＳ３０へ進んで、認証部９はＩＣカード７に特定の企業情報（企業名）が記憶されているか否かを判別する。ステップＳ３０において企業情報があった場合、その企業情報が制御部８に送信される。そして、ステップＳ３１へ進んで制御部８は、記憶部８２からその企業情報に対応した広告情報を読み出し、ステップＳ３２へ進んで、液晶表示部２３にその広告情報を表示する。
【００７６】
一方、ステップＳ３０において企業情報がない場合、ステップＳ４０へ進んで、制御部８は、記憶部８２から所定のページのアドレスを読み出す。ここで、複数のアドレスが存在する場合は、何れかをランダムに読み出せばよい。なお、アドレスは複合機１の設置者が所望するアドレスを予め記憶させておけばよく、例えば、天気予報やニュースのページのアドレスとすることができる。
【００７７】
そして、ステップＳ４１へ進んで、インターネット４００に接続し、読み出したアドレスに接続し、ステップＳ４２へ進んで液晶表示部２３にそのページを表示する。
【００７８】
続いて、ステップＳ３２又はステップＳ４２からステップＳ１７へ進み、ステップＳ１８〜Ｓ２１の処理を行う。
【００７９】
このように、ＩＣカード７が特定の企業情報を格納している場合、ＩＣカード７の識別情報を認証した後、画像形成の指示待ちの画面を表示する前に、それに対応した広告情報を表示することにより、利用者は複合機１を使用する前に広告情報を見ることになる。ＩＣカードが有する企業情報が利用者が所望して記憶させたものであれば、利用者は複合機１の使用という本来の目的に加えて、所望の有益な情報を得ることができる。また、省電力状態からの復帰待ちの時間を有効に利用することもできる。また、利用者に対する宣伝効果が期待できるため、広告主から広告料を得ることも可能となる。
【００８０】
また、ＩＣカード７が特定の企業情報を格納していない場合は、ＩＣカード７の識別情報を認証した後、画像形成の指示待ちの画面を表示する前に、インターネットに接続して所定のページを表示することにより、利用者は複合機１を使用する前に所定のページを見ることになる。これにより、利用者は複合機１の使用という本来の目的に加えて、インターネットから有益な情報も得ることができる。
【００８１】
図１０は、ＩＣカード７がかざされたときの複合機１の第６例の動作を示すフローチャートである。図５と同様のステップについては同符号を付し、その詳細な説明を省略する。
【００８２】
ＩＣカード７が認証されると、ステップＳ１３からステップＳ６０へ進んで、制御部８は、記憶部８２から複合機１の状態を読み出す。ここで、複合機１の状態とは、ジャム率又は用紙残量である。ジャム率は印刷枚数に対するジャム回数から算出でき、用紙残量は例えばカセット４１にセンサを設けることにより概算できる。そして、ジャム率又は用紙残量をランダムに読み出してもよく、ジャム率及び用紙残量の両方を読み出してもよい。
【００８３】
そして、ステップＳ６１へ進んで、液晶表示部２３にその状態を表示する。続いて、ステップＳ１７へ進み、ステップＳ１８〜Ｓ２１の処理を行う。
【００８４】
このように、ＩＣカード７の識別情報を認証した後、画像形成の指示待ちの画面を表示する前に、複合機１の状態を表示することにより、利用者は複合機１を使用する前にジャム率や用紙残量という有益な情報を知ることができる。その結果、例えば、使用する用紙枚数以下の用紙残量だとわかれば、利用者は予め用紙を補給しておくことができる。また、省電力状態からの復帰待ちの時間を有効に利用することもできる。
【００８５】
図１１は、ＩＣカード７がかざされたときの複合機１の第７例の動作を示すフローチャートである。図５と同様のステップについては同符号を付し、その詳細な説明を省略する。
【００８６】
ＩＣカード７が認証されると、ステップＳ１３からステップＳ７０へ進んで、制御部８は、記憶部８２から識別情報毎の利用記録を読み出す。ここで、識別情報毎の利用記録とは、利用者毎の所定期間（例えば、今月）の用紙使用枚数である。これは、各利用者が用紙を使用する毎にその枚数を加算していくことで算出できる。
【００８７】
そして、ステップＳ７１へ進んで、液晶表示部２３にその用紙使用枚数を表示する。続いて、ステップＳ１７へ進み、ステップＳ１８〜Ｓ２１の処理を行う。
【００８８】
このように、ＩＣカード７の識別情報を認証した後、画像形成の指示待ちの画面を表示する前に、識別情報毎の利用記録を表示することにより、利用者は複合機１を使用する前に自分が使用した用紙枚数という有益な情報を知ることができる。その結果、例えば、使用枚数が多ければ抑制する効果がある。また、省電力状態からの復帰待ちの時間を有効に利用することもできる。
【産業上の利用可能性】
【００８９】
本発明は、無線通信によりＩＣカード等の記憶媒体と、それを読み取るカードリーダ６を備えたプリンタ、複写機、複合機等の画像形成装置とを含む画像形成システムに利用可能である。
【図面の簡単な説明】
【００９０】
【図１】本発明の複合機の模型的正面断面図である。
【図２】本発明の複合機の構成の一例を示すブロック図である。
【図３】本発明の認証部、カードリーダ、ＩＣカードの構成、接続の一例を示すブロック図である。
【図４】本発明の複合機の操作パネルの一例を示す図である。
【図５】本発明のＩＣカードがかざされたときの複合機の第１例の動作を示すフローチャートである。
【図６】本発明のＩＣカードがかざされたときの複合機の第２例の動作を示すフローチャートである。
【図７】本発明のＩＣカードがかざされたときの複合機の第３例の動作を示すフローチャートである。
【図８】本発明のＩＣカードがかざされたときの複合機の第４例の動作を示すフローチャートである。
【図９】本発明のＩＣカードがかざされたときの複合機の第５例の動作を示すフローチャートである。
【図１０】本発明のＩＣカードがかざされたときの複合機の第６例の動作を示すフローチャートである。
【図１１】本発明のＩＣカードがかざされたときの複合機の第７例の動作を示すフローチャートである。
【符号の説明】
【００９１】
１    複合機
６    カードリーダ（無線通信部）
７    ＩＣカード（記憶媒体）
２３    液晶表示部（表示部）
８２    記憶部
８４    インターフェイス部
４００    インターネット
【図１】
2010028611.tif 000003
【図２】
2010028611.tif 000004
【図３】
2010028611.tif 000005
【図４】
2010028611.tif 000006
【図５】
2010028611.tif 000007
【図６】
2010028611.tif 000008
【図７】
2010028611.tif 000009
【図８】
2010028611.tif 000010
【図９】
2010028611.tif 000011
【図１０】
2010028611.tif 000012
【図１１】
2010028611.tif 000013